(57)【特許請求の範囲】
【請求項１】
屋根材(18)および天井材(22)の間に遮熱断熱材(20)を保持する遮熱断熱材取付具であって、
前記遮熱断熱材(20)の設置部材(28)が着脱可能に取り付けられる支持部(12)と、
前記支持部(12)に設けられ、前記屋根材(18)から吊り下げられた第１吊下げボルト(24)が連結される第１連結部(14)と、
前記支持部(12)に設けられ、前記天井材(22)を吊り下げる第２吊下げボルト(26)が連結される第２連結部(16)とからなり、
前記設置部材(28)に取り付けられる遮熱断熱材(20)より前記第２連結部(16)が上方に位置するよう構成された
ことを特徴とする遮熱断熱材取付具。
【請求項２】
前記第１連結部(14)および第２連結部(16)は、上下に対向するよう前記支持部(12)に設けられて、該第１連結部(14)および第２連結部(16)に連結された前記第１吊下げボルト(24)および第２吊下げボルト(26)が同一直線上に整列するよう構成された請求項１記載の遮熱断熱材取付具。
【発明の詳細な説明】
【技術分野】
【０００１】
この発明は、遮熱断熱材を屋根材と天井材との間に保持する遮熱断熱材取付具に関するものである。
【背景技術】
【０００２】
屋根裏に断熱材が配設された断熱構造として、天井下地材の上面に断熱材を配設するものが知られている。例えば、特許文献１では、天井下地材の下面に天井材が取り付けられると共に、天井下地材の上面にグラスウール等から形成された断熱材が配設されている。天井下地材は、屋根材を支える垂木から垂下させたボルトの下端に取り付けられた金具に野縁受けが支持されると共に、該野縁受けに対して直交方向に延在するよう野縁が連結されて、格子状に配置された野縁受けおよび野縁の上側に断熱材を載置するよう構成されている。
【先行技術文献】
【特許文献】
【０００３】
【特許文献１】特開平１０−１０２６７０号公報
【発明の概要】
【発明が解決しようとする課題】
【０００４】
ここで、断熱材を配設するに際しては、野縁受けおよび野縁の上面側に断熱材が載置されることから、該野縁受けを支持するボルトとの干渉を避けるために、断熱材におけるボルトとの対応位置に予め切欠き等の加工を施して、該断熱材の切欠き部分にボルトを整合させつつ、野縁受けおよび野縁の上面側に設置しなければならず、煩雑な作業を要する欠点がある。また、照明器具や空調器具等を天井に設置する場合は、該照明器具等の設置スペースを確保したり、配線やダクトを接続したりするために断熱材の穴あけなどの加工が必要となる。このような断熱材の加工は、施工現場において作業者が状況に合わせて実施しているため、手間がかかり作業効率が低下してしまう。また、断熱材が切り取られることで断熱効率が低下する問題もある。
【０００５】
すなわち本発明は、従来の技術に内在する前記問題に鑑み、これらを好適に解決するべく提案されたものであって、断熱材の穴あけ等の作業負担を軽減すると共に断熱効率の低下を防止し得る遮熱断熱材取付具を提供することを目的とする。
【課題を解決するための手段】
【０００８】
前記課題を克服し、所期の目的を達成するため、本願請求項１に係る遮熱断熱材取付具は、
屋根材および天井材の間に遮熱断熱材を保持する遮熱断熱材取付具であって、
前記遮熱断熱材の設置部材が着脱可能に取り付けられる支持部と、
前記支持部に設けられ、前記屋根材から吊り下げられた第１吊下げボルトが連結される第１連結部と、
前記支持部に設けられ、前記天井材を吊り下げる第２吊下げボルトが連結される第２連結部とからなり、
前記設置部材に取り付けられる遮熱断熱材より前記第２連結部が上方に位置するよう構成されたことを要旨とする。
【０００９】
請求項１に係る発明によれば、第１吊下げボルトを第１連結部に連結すると共に、第２連結部に連結した第２吊下げボルトに天井材を吊り下げるようにしたことで、屋根材と天井材の中間位置に遮熱断熱材取付具を設置できる。このため、遮熱断熱材取付具に設けられた設置部材に取り付けた遮熱断熱材を天井材から離間させることができ、遮熱断熱材のカット等の加工を行うことなく天井材と遮熱断熱材との間に空調設備のダクト等を設置するスペースを確保することができる。また、遮熱断熱材が遮熱断熱材取付具と干渉しないため、遮熱断熱材取付具に合わせて遮熱断熱材を加工する必要がなく、作業効率が向上し得る。
【００１０】
請求項２に係る発明は、前記第１連結部および第２連結部は、上下に対向するよう前記支持部に設けられて、該第１連結部および第２連結部に連結された前記第１吊下げボルトおよび第２吊下げボルトが同一直線上に整列するよう構成されたことを要旨とする。
【００１１】
請求項２に係る発明によれば、第１吊下げボルトおよび第２吊下げボルトが同一直線状に位置するため、第２吊下げボルトに吊り下げられる天井下地材等の重さを屋根材に連結する第１吊下げボルトに直接伝えることができる。すなわち、遮熱断熱材取付具に無理な力が作用するのを防ぎ、遮熱断熱材取付具の変形等を防止し得ると共に、遮熱断熱材取付具により天井材を安定して保持し得る。
【発明の効果】
【００１２】
本発明に係る遮熱断熱材取付具によれば、屋根材と天井材との間に天井材から遮熱断熱材を離間させた状態で配設することができる。
【図面の簡単な説明】
【００１３】
【図１】本発明の実施例に係る遮熱断熱材取付具を用いた遮熱断熱屋根構造を示す斜視図であって、遮熱断熱材取付具により遮熱断熱材を屋根材と天井材との間に保持した状態を示す。
【図２】実施例に係る遮熱断熱材取付具を示す斜視図であって、上板を一部破断して示す。
【図３】実施例に係る遮熱断熱材取付具を示す正面図であって、遮熱断熱材取付具の支持部に取り付けられる第１野縁を２点鎖線で示す。
【図４】実施例に係る第１吊下げボルト、遮熱断熱材取付具、第１野縁、遮熱シートおよび第２吊下げボルトを示す分解斜視図である。
【図５】実施例に係る遮熱断熱屋根構造を遮熱断熱材取付具の正面側から視た断面図である。
【発明を実施するための形態】
【００１４】
次に、本発明に係る遮熱断熱材取付具について、好適な実施例を挙げて添付図面を参照しながら以下に説明する。実施例では、工場や倉庫等の建物における屋根材としての折板屋根と天井材との間に、遮熱断熱材取付具を用いて遮熱断熱材を施工した場合を示す。以下の説明において、「上」「下」「左」「右」「前」「後」とは、図３に示すように、遮熱断熱材取付具を正面からみた状態を基準として指称する。
【実施例】
【００１５】
図１および図５に示すように、実施例に係る遮熱断熱材取付具を用いた遮熱断熱屋根構造は、折板屋根１８から吊り下げられた第１吊下げボルト２４に遮熱断熱材取付具１０が連結されると共に、遮熱断熱材取付具１０に対して垂下するように連結された第２吊下げボルト２６に天井下地材５０が吊り下げられて、該天井下地材５０に対して天井材２２が固定されている。そして、前記遮熱断熱材取付具１０に第１野縁(設置部材)２８が着脱可能に保持されると共に、該第１野縁に対して遮熱断熱材取付具１０の下方から遮熱シート(遮熱断熱材)２０が取り付けられて、遮熱シート２０を天井材２２から離間した位置で支持するよう構成されている。ここで、実施例に係る遮熱シート２０は、空気層を形成したポリエチレンシートの表裏面にアルミニウム薄膜が形成されたシート状物であって、熱線をアルミニウム薄膜で反射する遮熱効果と共に、空気層により熱伝導を抑制する断熱効果を備えたものである。
【００１６】
図１に示すように、前記第１吊下げボルト２４は、折板屋根１８の山部の延在方向および交差方向(すなわち前後および左右方向)に所定の間隔で複数垂下されている。そして、前記遮熱断熱材取付具１０が、同一高さ位置で同一姿勢となるよう第１吊下げボルト２４の下端側に夫々連結されている。そして、前記折板屋根１８の山部の交差方向に整列する複数の遮熱断熱材取付具１０(後述する支持部１２)に架け渡すよう長尺な第１野縁２８が取り付けられて、第１野縁２８が複数の遮熱断熱材取付具１０によって保持されている。すなわち、前記第１野縁２８は、前記折板屋根１８の山部の延在方向に所定の間隔毎に複数設けられて、各第１野縁２８が夫々平行となるよう構成されている。そして、前記複数の第１野縁２８の下面に亘って、遮熱シート２０が取り付けられて、折板屋根１８の裏側全体を遮熱シート２０で覆うよう構成されている。
【００１７】
また、遮熱シート２０を下側から貫通した前記第２吊下げボルト２６の上端側が前記各遮熱断熱材取付具１０に連結されており、複数の第２吊下げボルト２６が遮熱シート２０の下方へ前後左右に一定の間隔で垂下するよう構成されて、該第２吊下げボルト２６の下端側に連結された前記天井下地材５０に天井材２２が設けられている。天井下地材５０は、前記第１野縁２８と同様に前後方向に延在する長尺の野縁受け５２と、該野縁受け５２の下方に連結金具６２(図５参照)を介して連結されて野縁受け５２に直交する左右方向に延在する長尺の第２野縁５４とから格子状に形成され、該第２野縁５４の下面に、遮熱シート２０の下面全体を覆うように天井材２２が保持されている。すなわち、概ね第２吊下げボルト２６の長さ分だけ、遮熱シート２０から離間した位置で前記天井材２２が支持されて、遮熱シート２０と天井材２２との間に空調設備のダクト等を配置可能な空間６０を画成するようになっている。実施例では、天井材２２は第２野縁５４に対してビス６６で固定される。
【００１８】
本実施例に係る遮熱断熱材取付具１０は、一枚の鋼板を切断および曲げ加工して形成された部材であって、図２および図３に示すように、遮熱シート２０の取り付けられた第１野縁２８が着脱可能に取り付けられる支持部１２と、前記折板屋根１８から吊り下げられた前記第１吊下げボルト２４に連結される第１連結部１４と、前記天井材２２を吊り下げる前記第２吊下げボルト２６が連結される第２連結部１６とを備えている。
【００１９】
前記支持部１２は、上下方向に長尺な矩形状のベース部３０と、該ベース部３０の前後端部から左方向へ延在し、相互に対向する一対の同形状の横支持板３１とを備える。ここで、前記一対の横支持板３１の構成は前後対称であるので、前側の横支持板３１についてのみ説明し、後側の横支持板３１については同一の符号を付して詳細な説明は省略する。前記横支持板３１は、前記ベース部３０に接続する略矩形板状の基部３２と、該基部３２の下端から下方へ延在する係合片部３３とから構成されて、該係合片部３３に対して前記第１野縁２８が着脱可能に係合保持されるようになっている。なお、前記係合片部３３は、基部３２の下方の中間部に形成されて、基部３２の下端が、係合片部３３との接続部位から左右の側方へ離間するにつれて僅かに下方傾斜するようになっている。
【００２０】
前記係合片部３３は、前記基部３２の下端中央から下方に延在する接続部３３ａと、該接続部３３ａから下方に延在する下方延出部３３ｂとから構成される。前記下方延出部３３ｂは、上辺が長い略台形状に形成されて、該下方延出部３３ｂの上辺が接続部３３ａの左右側端部から左右に突出しており、該下方延出部３３ｂの突出部分に前記第１野縁(後述する係合縁部２８ｃ)が係合するよう構成されている。すなわち、前記下方延出部３３ｂは、接続部３３ａとの接続部位から左右側方に延出して形成されて、左右の側縁部(傾斜縁部３３ｃ)が左右上端から下方へ向けて夫々内側に傾斜している。ここで、前記第１野縁２８の構成は、図３および図４に示すように、底板２８ａの側縁から立ち上がった両側板２８ｂ,２８ｂの上端に、逆Ｌ字形の係合縁部２８ｃが夫々形成されたチャンネル形状に形成されている。そして、前記係合片部３３における各傾斜縁部３３ｃに、前記第１野縁２８の係合縁部２８ｃを対応的に当接させたもとで第１野縁を下から押圧することで、当該第１野縁２８の両側板２８ｂ,２８ｂが弾性的に拡開し、該係合縁部２８ｃが下方延出部３３ｂの上端まで達すると、両側板２８ｂ,２８ｂが弾性復帰して該係合縁部２８ｃが下方延出部３３ｂの上端に当接係合して支持部１２に第１野縁２８が取り付けられる。このとき、前記各係合縁部２８ｃが前記基部３２の下端に当接して、第１野縁２８の上方向の移動が規制されるようになっている。図５に示すように、複数の第１野縁２８における底板２８ａの下面に、既知の固定接着手段(図示せず)を用いて遮熱シート２０が取り付けられる。実施例では、固定接着手段として両面テープを用いたが、これに限られず適宜の接着剤やネジ止めにより固定しても良い。ここで、図３に示すように、第１野縁２８に取り付けられた遮熱シート２０は、遮熱断熱材取付具１０(第２連結部１６)の下端より下方に位置している。
【００２１】
図２に示すように、前記第１連結部１４は、前記ベース部３０の上端部から右方向に延在する上板３４と、該上板３４の下面中央位置に設けられる円筒状の第１筒部３６とから構成されて、該第１筒部３６に上下に貫通する第１ネジ孔３８が螺設されている。そして、前記折板屋根１８に連結された第１吊下げボルト２４の下端側を、第１連結部１４の第１ネジ孔３８に螺挿することで、第１吊下げボルト２４に遮熱断熱材取付具１０が取り付けられる。このとき、前記第１ネジ孔３８に対する第１吊下げボルト２４のネジ込み量を微調整することで、前記折板屋根１８から垂下させた各第１吊下げボルト２４に遮熱断熱材取付具１０が同一高さ位置で同一姿勢となるよう取り付け得るようになっている。
【００２２】
また、前記第２連結部１６は、図２に示すように、前記ベース部３０の下端部から右方向に延在する下板４２と、該下板４２の上面中央位置に設けられる円筒状の第２筒部４４とから構成されて、該第２筒部４４に上下に貫通する第２ネジ孔４６が螺設されている。ここで、前記第１野縁２８に取り付けられた前記遮熱シート２０には、前記第２連結部１６の第２ネジ孔４６と上下に整列する位置に第２吊下げボルト２６を挿通可能な貫通孔２０ａが形成されており(図４参照)、該遮熱シート２０の貫通孔２０ａに挿通した第２吊下げボルト２６を、前記第２連結部１６の第２ネジ孔４６に螺挿することで、遮熱断熱材取付具１０に第２吊下げボルト２６が連結される。なお、前記貫通孔２０ａの直径は、第２吊下げボルト２６の直径より小さく設定されており、該第２吊下げボルト２６が押し込むようにして貫通孔２０ａに挿通されることで、遮熱シート２０が第２吊下げボルト２６に密着するよう構成されている。
【００２３】
前記第１連結部１４の上板３４および第２連結部１６の下板４２は、図４に示すように、上下に対向するよう形成されて前記第１ネジ孔３８および第２ネジ孔４６が鉛直線上に整列するよう構成されている。すなわち、前記第１ネジ孔３８および第２ネジ孔４６に連結された第１吊下げボルト２４および第２吊下げボルト２６が同一直線上に整列している。
【００２４】
(実施例の作用)
次に、実施例に係る遮熱断熱材取付具１０の作用について説明する。遮熱シート２０を天井材２２から離間して配設したことで、天井材２２と遮熱シート２０との間に空調設備のダクト等を配設する空間６０を確保することができ、ダクト等に合わせて遮熱シート２０を予めカットする必要がなく、作業効率が向上する。また、ダクト等を配設した部位の上方にも遮熱シート２０を配設することができるため、断熱効率が向上する。また、第１ネジ孔３８に第１吊下げボルト２４を螺挿し、第２ネジ孔４６に第２吊下げボルト２６を螺挿ることで、遮熱断熱材取付具１０を取り付けることができるため、簡単な構成とし得る。
【００２５】
第１吊下げボルト２４を第１ネジ孔３８に螺挿して連結すると共に、第２ネジ孔４６に螺挿した第２吊下げボルト２６に天井材２２を吊り下げるようにしたことで、折板屋根１８と天井材２２の中間位置に遮熱断熱材取付具１０を設置できる。このため、遮熱断熱材取付具１０に設けられた第１野縁２８に取り付けた遮熱シート２０を天井材２２から離間させることができ、遮熱シート２０にカット等の加工を行うことなく天井材２２と遮熱シート２０との間に空調設備のダクト等を配置する空間６０を確保することができる。また、遮熱シート２０が取り付けられる第１野縁２８の下面は、遮熱断熱材取付具１０の下端よりも下方に位置する構成であって、遮熱シート２０が遮熱断熱材取付具１０と干渉しないため、遮熱断熱材取付具１０の下方全面に遮熱シート２０を敷設することができ断熱効率を向上させることができると共に、遮熱断熱材取付具１０に合わせて遮熱シート２０を加工する必要がなく作業効率を向上させることができる。また、第１ネジ孔３８および第２ネジ孔４６に対する第１吊下げボルト２４および第２吊下げボルト２６のネジ込み量を調節することで、遮熱断熱材取付具１０の高さ位置や姿勢の調整を容易に行うことができる。
【００２６】
更に、第１吊下げボルト２４および第２吊下げボルト２６が同一直線状に位置するため、第２吊下げボルト２６に吊り下げられる天井材２２等の重さを折板屋根１８に連結する第１吊下げボルト２４に直接伝えることができ、遮熱断熱材取付具１０に無理な力が作用するのを防止し、遮熱断熱材取付具１０により天井材２２を安定して保持し得ると共に、遮熱断熱材取付具１０の変形等を防止できる。
【００２７】
(変更例)
(１)  実施例では、遮熱断熱材としてポリエチレン等により空気層を有するシート状に形成されると共に表面にアルミ蒸着等により反射層が形成された遮熱シートを採用したが、グラスウール等の繊維系断熱材や、フェノールフォーム等の発泡系断熱材等であってもよい。すなわち、遮熱断熱材としては、伝導や対流によって熱が伝わるのを防止する断熱材や、放射によって熱が伝わるのを防ぐ遮熱材を含み、また断熱材および遮熱材を含む複合材を含む概念である。
(２)  実施例では、遮熱断熱材取付具の支持部、第１連結部および第２連結部を鋼板の切断および曲げ加工により形成したが、支持部、第１連結部および第２連結部の夫々を独立した部材で形成して、各部材を溶接やネジ、リベット等で連結固定して遮熱断熱材取付具を形成するようにしても良い。
(３)  実施例では、遮熱断熱材取付具の支持部をベース部と一対の横支持板とから形成したが、該一対の横支持板が連結したブロック形状とすることも可能である。
(４)  実施例では、遮熱断熱材取付具の支持部(係合片部)に対して、遮熱断熱材の設置部材(すなわち第１野縁)を係合保持するよう構成したが、ネジやその他従来公知の固定手段によって支持部に対して設置部材を着脱可能に取り付けるよう構成することもできる。
(５)  遮熱断熱材取付具における支持部、第１連結部および第２連結部の配置関係は、実施例のものに限られず、支持部に対して設置部材を取り付け可能で、屋根材から吊り下げられた第１吊下げボルトを第１連結部に連結でき、かつ第２連結部材から天井材を吊り下げる第２吊下げボルトを連結可能な配置であれば良い。
(６)  第１吊下げボルトとして、全体に雄ネジが形成された実施例を示したが、これに限られるものではなく、第１連結部との連結部分である下端部にのみ雄ネジが形成されていても良い。
(７)  第１吊下げボルトは、屋根に直接吊り下げられている必要はなく、屋根を支持する垂木等の屋根支持構造に第１連結ボルトを吊り下げるよう構成しても良い。すなわち、本発明の屋根材は、屋根自体だけではなく、屋根を支持する屋根支持構造をも含むものである。また屋根材は、折板屋根に限定されるものではない。
(８)  天井材は、天井下地材を介して第２吊下げボルトに連結されている必要はなく、天井材を第２吊下げボルトで直接吊り下げても良い。
【符号の説明】
【００２８】
１０  遮熱断熱材取付具，１２  支持部，１４  第１連結部，１６  第２連結部
１８  折板屋根(屋根材)，２０  遮熱シート(遮熱断熱材)，２２  天井材
２４  第１吊下げボルト，２６  第２吊下げボルト，２８  第１野縁(設置部材)
【図１】
0005592755.tif 000002
【図２】
0005592755.tif 000003
【図３】
0005592755.tif 000004
【図４】
0005592755.tif 000005
【図５】
0005592755.tif 000006